(57)【特許請求の範囲】
【請求項１】
時刻を計る計時部と、時刻を表示する表示部と、前記計時部から前記表示部にて表示すべき時刻の信号を受けて該表示部に所定の形態で時刻を表示させるための表示制御部とを備えた時計であって、
該時計は、前記時計を付けている使用者に固有の物理的状態を時々刻々検出可能なセンサーを備え、
前記表示部は、時刻の表示形態を可変に構成され、
前記表示制御部は、前記センサーから検出信号が送られたとき該センサーにより検出された前記物理的状態の変化に対応して、前記表示部にて表示される時刻の表示形態に変更を加えるように構成され、
前記物理的状態は、前記時計を付けている使用者の体の動き、体温、心拍数等の量的要素である、ことを特徴とする時計。
【請求項２】
時刻を計る計時部と、時刻を表示する表示部と、前記計時部から前記表示部にて表示すべき時刻の信号を受けて該表示部に所定の形態で時刻を表示させるための表示制御部とを備えた時計であって、
該時計は、その周囲の物理的状態を時々刻々検出可能なセンサーを備え、
前記表示部は、時刻の表示形態を可変に構成され、
前記表示制御部は、前記センサーから検出信号が送られたとき該センサーにより検出された前記物理的状態の変化に対応して、前記表示部にて表示される時刻の表示形態に変更を加えるように構成され、
前記時刻の表示形態の変換のために加えられる前記物理的状態の変化は、前記表示部にて時刻が表示される時点より以前の過去のものである、ことを特徴とする時計。
【請求項３】
時刻を計る計時部と、時刻を表示する表示部と、前記計時部から前記表示部にて表示すべき時刻の信号を受けて該表示部に所定の形態で時刻を表示させるための表示制御部とを備えた時計であって、
該時計は、その周囲の物理的状態を時々刻々検出可能なセンサーを備え、
前記表示部は、時刻の表示形態を可変に構成され、
前記表示制御部は、前記センサーから検出信号が送られたとき該センサーにより検出された前記物理的状態の変化に対応して、前記表示部にて表示される時刻の表示形態に変更を加えるように構成され、
前記表示部は、液晶を用いた表示画素の規則的な集合体により形成されている液晶ディスプレイから成り、前記表示画素は少なくとも一つの方向に隣同士の各表示画素の形状及び大きさが一定の規則性をもって連続的に変化して形成されている、ことを特徴とする時計。
【請求項４】
請求項１において、前記時刻の表示形態の変換のために加えられる前記物理的状態の変化は、前記表示部にて時刻が表示される時点より以前の過去のものである、ことを特徴とする時計。
【請求項５】
請求項２において、前記物理的状態は、人体の動き、体温、心拍数等の量的要素であることを特徴とする時計。
【請求項６】
請求項１、請求項２、請求項４または請求項５において、前記時刻表示形態は、表示対象の大きさ、形、表示位置および動きを含む視認可能な要素から成り、該要素の一つ以上が前記センサーで検出された物理的状態の変化に対応して変わるように構成されている、ことを特徴とする時計。
【請求項７】
請求項１において、前記表示部は、液晶を用いた表示画素の規則的な集合体により形成されている液晶ディスプレイから成り、前記表示画素は少なくとも一つの方向に隣同士の各表示画素の形状及び大きさが一定の規則性をもって連続的に変化して形成されている、ことを特徴とする時計。
【請求項８】
請求項３において、前記物理的状態は、人体の動き、体温、心拍数等の量的要素である、ことを特徴とする時計。
【請求項９】
請求項３、請求項７または請求項８において、前記時刻表示形態は、表示対象の大きさ、形、表示位置および動きを含む視認可能な要素から成り、該要素の一つ以上が前記センサーで検出された物理的状態の変化に対応して変わるように構成されている、ことを特徴とする時計。
【請求項１０】
請求項３、請求項７から請求項９のいずれか１項において、前記時刻の表示形態の変換のために加えられる前記物理的状態の変化は、前記表示部にて時刻が表示される時点より以前の過去のものである、ことを特徴とする時計。
【請求項１１】
請求項３、請求項７から請求項１０のいずれか１項において、前記表示画素は、画面の中央が最大の表示面積を持ち前記画面の周辺に行くにしたがって小さな表示面積となるようにしたものである、ことを特徴とする時計。
【発明の詳細な説明】
【０００１】
【発明の属する技術分野】
本発明は、時刻を計る計時部と、時刻を表示する表示部と、前記計時部から前記表示部にて表示すべき時刻の信号を受けて該表示部に所定の形態で時刻を表示させるための表示制御部とを備えた時計に関するものである。
【０００２】
【従来の技術】
時計は、現在時刻をその表示部に表示するものである。例えばデジタル時計は、そのほとんどが「時」、「分」及び「秒」を数字によって表示することで現在時刻を表示し、時刻の変化は「分」及び「秒」を表す数字（０から５９）の順次切り替わり、更には「時」を表す数字（０から１２）の順次切り替わりによって表している。ほとんどの時計は、前記数字の切り替わりはあっても、時刻表示形態の要素となる数字の大きさ、形等は変わらないものがほとんどである。
【０００３】
上記表示部構造の時計は、単調で面白さに欠けることから、最近時刻表示形態を可変にした時計が提供されている。それは表示形態の変化パターンが複数種類予め設定されて搭載され、使用者が表示形態を変えたくなったとき、操作用ボタンによって前記いずれかの変化パターンを選択することによって時刻表示形態を変化させることができるようになっている。
【０００４】
【発明が解決しようとする課題】
しかしながら、表示形態の変化パターンが複数種類用意されていても、選択によって現れる変化形態は、決まっている。すなわち、一つの選択に対応する変化態様は一義的に決まっているため、その表示形態の変化は意外性や個性に乏しく、時計使用者にとって短期間で新鮮味がなくなってしまい、時計の付加価値を高めるには不十分であった。
【０００５】
本発明の課題は、時計の表示部にて表示される時刻の表示形態を変化させるに当たり、その変化に意外性があり、更に個性的である時計を提供することにある。
【０００６】
【課題を解決するための手段】
上記課題を達成するため、本発明第１の態様は、時刻を計る計時部と、時刻を表示する表示部と、前記計時部から前記表示部にて表示すべき時刻の信号を受けて該表示部に所定の形態で時刻を表示させるための表示制御部とを備えた時計であって、該時計は、その周囲の物理的状態を時々刻々検出可能なセンサーを備え、前記表示部は、時刻の表示形態を可変に構成され、前記表示制御部は、前記センサーから検出信号が送られたとき該センサーにより検出された前記物理的状態の変化に対応して、前記表示部にて表示される時刻の表示形態に変更を加えるように構成されていることを特徴とするものである。
【０００７】
本発明によれば、周囲の物理的状態を時々刻々検出可能なセンサーを備え、表示制御部は、前記センサーにより検出された前記物理的状態の変化に対応して、前記表示部にて表示される時刻の表示形態に変更を加えるように構成されている。よって、センサーをオン状態にしておけば、時々刻々検出される周囲の物理的状態の変化に対応して時刻表示形態を変化させることができる。
【０００８】
これは、従来のように時計の使用者が操作ボタンで選択し、その選択に一義的に対応する変化パターンで時刻表示形態が変わるものに比して、使用者がその変化のさせ方を選択することができない点で、はるかに面白味があると共に、意外性があると言える。特に、使用者の意図する変化とは必ずしも一致しない変化が容易に起こるため、この点で意外性は大きいと言える。
【０００９】
また、周囲の物理的状態は、その時計を付けている使用者の行動によって異なるため、同じ時計であっても、その使用者の行動パターンの違いによって、時刻表示形態の変化の仕方が異なってくる。従って、この点で時刻表示形態にその時計を付けている使用者に固有の個性的な変化をさせることができると言える。更に、同一人においても行動の仕方を変えることで、その変化が時計の時刻表示形態の変化となって反映することになる。
【００１０】
以上のように本発明によれば、時計の表示部に表示する時刻表示形態の変化の仕方に、意外性や個性があるため、時計の付加価値を大きく高めることができる。
【００１１】
また、第２の態様は、第１の態様において、前記物理的状態は、人体の動き、体温、心拍数等の量的要素であることを特徴とするものである。
【００１２】
本発明によれば、センサーで検出する物理的状態として、人体の動き、体温、心拍数等の量的要素としたので、時計を付けている人の状態変化に対応した変化を時刻表示形態に加えることができ、その人に固有の個性的な変化をさせることができる。特に、使用者の意図する変化とは必ずしも一致しない変化が容易に起こるため、この点で意外性は大きいと言える。
【００１３】
また、第３の態様は、第１の態様または第２の態様において、前記時刻表示形態は、表示対象の大きさ、形、表示位置および動きを含む視認可能な要素から成り、該要素の一つ以上が前記センサーで検出された物理的状態の変化に対応して変わるように構成されていることを特徴とするものである。
本発明によれば、時刻表示形態は、表示対象の大きさ、形、表示位置および動きを含む視認可能な要素から成るため、視覚的にその変化を容易に認識することができる。
【００１４】
また、第４の態様は、第１の態様から第３の態様のいずれか１つに記載された時計において、前記時刻の表示形態の変換のために加えられる前記物理的状態の変化は、前記表示部にて時刻が表示される時点より以前の過去のものであることを特徴とする。
本発明によれば、時刻の表示形態の変換のために加えられる前記物理的状態の変化は、前記表示部にて時刻が表示される時点より以前の過去のものである。これにより、今表示されている時刻より以前の過去のある期間をどのように過ごしたかを時計の時刻表示形態の変化によって表すことができる。その過去のある期間は、例えば、直前の１０秒間、直前の３０秒間、直前の６０秒間、或いは今より５分前の時点の３０秒間、等というように適宜設定できるようにすることが好ましい。従って、例えば直前の３０秒間をどのような物理的状態の変化の下で過ごしたかを時計使用者が、その時刻表示形態の変化の仕方によって簡単に再認識することができる。特に数人が集まって、各自の時計によって、その時刻表示形態の変化の仕方を比較し合うと、その変化は各人に固有のものであるため、一層面白さが増大し、時計の付加価値を増大する。
【００１５】
また、第５の態様は、第１の態様から第４の態様のいずれか１つにおいて、前記表示部は、液晶を用いた表示画素の規則的な集合体により形成されていると共に、前記表示画素は少なくとも一つの方向に隣同士の各表示画素の形状及び大きさが一定の規則性をもって連続的に変化して形成されていることを特徴とするものである。
【００１６】
本発明によれば、表示部は、液晶ディスプレイから成り、各表示画素の形状及び大きさが一定の規則性をもって連続的に変化して形成されているので、該表示部にて表示される文字や図形、記号等が、画一的なものでは無くなり、各画素の形状及び大きさの変化状態に対応して変化して表示されることになる。即ち、該表示部で表現される表示形態を単調ではなく、且つ無秩序でもなく一定の規則性をもって変化に富んだものにすることが可能となる。従って、時刻表示形態を変化させた場合における前記意外性や個性のある変化を容易に実現することができる。
【００１７】
更に、当該表示部を用いて文字や図形等をスクロールさせたり画面内を適宜移動させて表示するようにすれば、一層豊かな表現を実現することができる。
【００１８】
また、第６の態様は、第５の態様において、前記表示画素は、画面の中央が最大の表示面積を持ち前記画面の周辺に行くにしたがって小さな表示面積となるようにしたものであることを特徴とするものである。
【００１９】
本発明によれば、表示画面の中央部が最も大きく拡大されて表示され、中央から周辺に行くのにしたがって徐々に一様に小さくなるので、文字、図形、記号等の表示形態が凸面鏡に写したように表示され、その表示形態を豊かに変化させることができる。更に、表示される文字、図形等を画面上でスクロールさせたり、適宜移動させて表示すると、その表示場所に応じて表示状態が一層豊かに変化する。
【００２０】
【発明の実施の形態】
以下、本発明の実施の形態を図面に基づいて説明する。図１は本発明の一実施の形態に係るデジタル時計の概略構成を示すブロック図である。このデジタル時計は、通常のデジタル時計と同じく、時を計る計時部１０によって現在時刻が計時され、該計時部１０から出力される時刻信号が表示制御部１１に送られ、該表示制御部１１にて前記時刻信号を表示部４で表示するための処理が行われると共に、前記時刻信号に対応する時刻が所定の表示形態にて表示されるように該表示部４が制御される。
【００２１】
本発明においては、その時計がおかれている周囲の物理的状態の経時的変化を時々刻々検出するためのセンサー１３が表示制御部１１に接続され、該センサー１３の検出信号が当該表示制御部１１に送られるようになっている。このセンサー１３は、オン（ＯＮ）、オフ（ＯＦＦ）切換が可能に構成され、オンされたときにその検出信号を表示制御部１１に送るようになっている。
【００２２】
ここで、センサー１３の具体例としては、例えば、人体の動きの状態を検出できる公知のショックセンサーや振動センサーなどの圧力センサー、或いは、体温センサーや心拍センサー等と言った時計を付けている人に固有の物理的状態の変化を検出するものの他に、気圧センサーや水圧センサー等の周囲の環境における物理的状態の変化を検出するもの等が挙げられる。勿論これらのセンサーに限定されず、その時計又はその時計を付けている人の周囲の物理的状態の変化を検出できるセンサーであれば特定のものには限定されない。
【００２３】
前記表示制御部１１は、本実施の形態では、図２に示した如く、前記計時部１０から送られる時刻信号を受信する受信部１４と、前記センサー１３から送られる検出信号を受信する受信部１５を備えている。そして、これら受信部１４，１５で受信された信号は、表示形態変更部１６に送られ、該表示形態変更部１６で、前記センサー１３により検出された前記物理的状態の変化、例えば時計を付けている人の激しい動きまたは静かな動き等の変化に対応して、前記表示部４にて表示される時刻の表示形態に変更を加えるように構成されている。すなわち、激しい動きに対しては、激しい動きをしていたことをイメージできる例えばダイナミックな感じの変化をさせ、静かな動きに対しては、静かな動きをイメージできる例えば静的で線を細くするような変化をさせるように形成されている。この表示形態の変化の種類は、センサー１３による検出データの違いに対応させて、それがイメージできるように予め設定しておくことになるが、前記検出データの違いに細かに対応させてその変化の種類を多くすることで、当該時刻表示形態を変化させるに際し、その変化の意外性や個性を高めることができる。
尚、センサー１３がオフの時は、前記表示制御部１１は、通常の時刻表示形態のまま表示部４に信号を送り、変更が加えられない通常の表示形態で時刻を示するようになっている。
【００２４】
前記表示部４で表示される時刻表示形態は、本実施の形態では、表示対象の大きさ、形、表示位置および動きを含む視認可能な要素から成る。そして本実施の形態では、これらの要素の総てが前記センサー１３で検出された物理的状態の変化に対応して変わるように構成されている。尚、表示部４自体の前記表示形態の変化を可能にするための具体的構造の詳細は後述する。
【００２５】
次に、前記表示制御部１１による表示部４の制御について、図３の制御フロー図に基づいて説明する。本実施の形態に係る時計では、先ず表示制御部１１の前記受信部１５がセンサー１３から検出信号を受けると、ステップ１０１でセンサー１３がオンであると判断し、ステップ１０２に進む。一方、センサー１３がオフのときは、ステップ１０１からステップ１０３に進み、表示部４において変更無しの通常の時刻表示がされるようになっている。
【００２６】
前記ステップ１０２において、検出期間の設定があるか否かが判断される。この検出期間は、例えば、直前の１０秒間、直前の３０秒間、直前の６０秒間、或いは今より５分前の時点の３０秒間といった過去のもの、又は現時点を一瞬一瞬等というように適宜設定できるようになっている。この検出期間についても選定できる種類が多いほど好ましいと言える。ステップ１０２において、選定期間がありと判断された場合、ステップ１０４にて、その選定された期間について前記物理的状態の変化が検出される。そして、その検出データが表示制御部１１の前記受信部１５に送られ、ステップ１０５にて計時部１０から前記受信部１４に送られる時刻信号と一緒に前記表示形態変更部１６に送られ、この表示形態変更部１６にて前記表示部４で表示すべき時刻表示形態に前記センサ１３による検出データに対応した変化を加え、ステップ１０６において当該表示部４に、その変化をさせながら時刻を表示する。
【００２７】
一方、前記ステップ１０２において、検出期間の選定が行われなかったときは、ステップ１０７にて予め定められている標準期間について前記センサー１３による検出が実行される。この標準期間は、例えば直前の１分間と言うように予め設定されている。そして、ステップ１０５に至り、この標準期間についての検出データに対応した時刻表示形態の変更が加えられるようになっている。検出期間は一つに固定されていても、その時計を付けている人の周囲の物理的状態は、通常固定されていないため、この標準期間からも意外性のある変化が充分に期待できる。
【００２８】
そして、ステップ１０８にて設定期間を経過したか否かが判断される。この設定期間は、時刻表示形態に変化を加えた状態で表示部４で表示をする期間である。この期間は適宜設定できることが好ましく、本実施の形態では、５秒から６０秒の範囲で時計の使用者において設定可能に構成されている。この期間の設定の仕方により、前記変化をしつつ表示される時刻が繰り返される場合もある。
【００２９】
次に、図４乃至図８に基づいて、具体的な時刻表示形態とその変化のさせ方について説明する。図４は通常の時刻表示形態、即ち変化を加えない表示形態を示す。この例では、表示部４にて「５時４２分３７秒」を表示している。センサ１３として例えばショックセンサーを用い、その時計を付けている人が例えば息が上がって倒れてしまう程に激しい動きをした場合は、センサー１３でその激しい動きが検出されるが、この場合、図５に示したように、その時刻表示が崩れるように変化させることにより、前記激しい動きをイメージさせることができる。勿論、このような崩れる変化に限らず、光を放ったり、暴れる感じて点滅させたりすることでも、同様のイメージを与えることができる。また、これらの変化のいずれかを任意に起こさせることで、前記激しい動きを複数の変化パターンでバリエーションを持ちつつイメージさせることが可能となる。
【００３０】
活発に動いたが、まだ元気が残っている動きの場合は、例えば図６に示したように時刻表示の字をスピーディにスクロールさせることにより、その活発で元気な状態をイメージさせることができる。少し疲れている場合は、図７に示したようにゆっくりスクロールさせながら時刻表示の字がゆれるように変化させ、これにより少し疲れていることをイメージさせることができる。或いは、その字をうなだれているイメージで上半分を曲げさせても同様のイメージを与えることができる。
【００３１】
更に、時計を付けている人が、じっとして殆ど動かない状態の場合は、図８（Ａ）（Ｂ）に示したように、ゆっくり時刻表示の字を小さくするように変化させ（同図（Ａ））、更には表示部４の隅っこに小さくなるように変化させることで（同図（Ｂ））、上記状態をイメージさせることができる。勿論、この場合も他の変化パターンによって前記じっと動かない状態を表してもよい。
【００３２】
尚、じっとして動かない状態は、極論すれば、時計を付けていた人が時計を外して寝ている状態にあるとも言える。よってスリーピンクモードとして図８の（Ａ）（Ｂ）を利用することもできる。
【００３３】
センサー１３を心拍センサーにした場合は、心拍数が多いときは、図６や図５の様な表示をさせ、心拍数が平常の時は図４の様な通常の時刻表示をさせることで、時計をつけている人の意思とは関係無しに、その実際の精神状態が時計の時刻表示形態の変化の仕方に現れる。したがって、特に数人集まって各自の時計の時刻表示形態の変化の仕方を比較し合うと、その変化の仕方から精神状態が解り、ちょっと変わった楽しい時間を各自が持っている時計一つで過ごすことができる。
【００３４】
尚、時計を付けている人の物理的状態の変化には相当しないが、本実施の形態では、バッテリーの残量が少なくなったことを図９（Ａ）及び（Ｂ）に示したように、煙が消える感じに時刻表示形態を変化させ、この変化を繰り返すことで、バッテリー充電または交換を知らせるようになっている。
【００３５】
また、センサー１３として気圧センサーを用いた場合は、その時計を付けている人のいる場所の気圧の変化が時計の時刻表示形態の変化に現れる。したがって、例えば高気圧の通過や低気圧の通過を、更には飛行機に乗っている時などに離陸から飛行、そして着陸の間の気圧の変化を、時刻にチェックしつつその時刻表示形態の変化で確認することができる。
【００３６】
次に、表示部４で上記各変化を可能にするための具体的構造について説明する。図１０は本発明に係るデジタル時計の液晶ディスプレイからなる表示部の一実施の形態を示し、デジタル時計の表示部部分の平面図である。本実施の形態では、図１０に示したように、液晶を用いた各表示画素１は、複数の縦線２及び複数の横線３により囲われた部分から成ると共に、各表示画素１の形状及び大きさは、無秩序ではなく、隣同士で一定の規則的変化をもって形成され、このような表示画素１の集合体として表示部４が構成されている。すなわち、前記表示画素１は、少なくとも一つの方向に隣同士の各表示画素の形状及び大きさが一定の規則性をもって連続的に変化して形成されている。構造的には、隣同士の縦線２で挟まれた各部分が一方の透明電極、隣同士の横線３で挟まれた各部分が前記透明電極と交差する他方の透明電極に相当する。
【００３７】
この実施の形態では、表示部４の外形形状は、四角形の四辺５に外側に凸となる円弧状の辺を有する形状から成り、各表示画素１の前記連続的変化は、該表示部４の外形形状である前記４つの辺５の形状に倣うように形成されている。前記縦線２及び横線３は、表示画素１の全体的な規則的変化の状態に対応している。その結果、この例では図１０に示したように、前記表示画素１は、画面となる表示部４の中央が最大の表示面積を持ち前記画面の周辺に行くにしたがって小さな表示面積となるように形成されている。
【００３８】
次に、図１１に基づいて、前記表示画素１の形状及び大きさを規則的に変化させていろいろな表示部を形成する際の簡易な方法を説明する。図１１の（Ａ）の１番から５番は、表示部４の外形形状のバリエーションの一例を示す。同図（Ｂ）の１番から５番は一方の透明電極の幅変化のバリエーションの一例を示し、（Ｃ）の１番から５番は他方の透明電極の幅変化のバリエーションの一例を示す。
【００３９】
前記（Ａ）（Ｂ）及び（Ｃ）のそれぞれの形状を適宜組み合わせることにより即ち（Ｂ）（Ｃ）の透明電極の幅を基本として、それを（Ａ）の外形形状に倣うようにして組み合わせることにより、表示画素１に所望の各種規則的変化をさせることが簡単にできる。
【００４０】
図１２は、前記（Ａ）（Ｂ）及び（Ｃ）のそれぞれの形状を具体的に組み合わせた例を示したものである。図１２の（Ｄ）は、図１１（Ａ）の５番の外形形状と（Ｂ）の２番と（Ｃ）の２番の各透明電極を組み合わせてできる表示画素１の集合を示したものである。これは前記図１０に示した表示画素１の規則的変化と同系統のものであり、数字の「２６」が一例として表示されている。同図（Ｅ）は、図１１（Ａ）の２番の外形形状と（Ｂ）の３番と（Ｃ）の１番の各透明電極を組み合わせてできる表示画素１の集合を示したものである。同図（Ｆ）は、図１１（Ａ）の３番の外形形状と（Ｂ）の１番と（Ｃ）の５番の各透明電極を組み合わせてできる表示画素１の集合を示したものである。
【００４１】
次に上記実施の形態に係る液晶ディスプレイの作用を説明する。本実施の形態によれば、図１０又は図１２に示したように、表示部４は各表示画素１の形状及び大きさが一定の規則性をもって連続的に変化して形成されているので、該表示部４にて表示される文字や図形、記号等が、画一的なものでは無くなり、即ち、該表示部４で表現される表示形態を単調ではなく、且つ無秩序でもなく一定の規則性をもって変化に富んだものになる。即ち、時計の付けている人の意思とは無関係に意外性があって個性的な変化が可能となる。図１０には表示部４に数字で「１０時４２分５９秒」を表示した例を示してある。
【００４２】
また、表示部４の外形形状は、図１１に示したように、四角形の少なくとも一辺５に円弧状の辺を有する形状、台形および長方形等の非正方形であり、各表示画素１の前記連続的変化は該表示部４の外形形状に倣うように形成されているので、すなわち、表示部４の外形形状である辺５の形状と密接に連携して各表示画素１の連続的な変化状態が規定されているため、表示部４の中央部から辺部５及びコーナー部に至るまでの全面が当該連続的な変化に富んだ表示面となる。更に、製造も外形形状を基準にして設計することが出来るので容易である。
【００４３】
また、図１０に示したように、前記表示画素１が、画面の中央が最大の表示面積を持ち前記画面の周辺に行くにしたがって小さな表示面積となるようにしたものは、表示画面の中央部が最も大きく拡大されて表示され、中央から周辺に行くのにしたがって徐々に一様に小さくなるので、文字、図形、記号等の表示形態が凸面鏡に写したように表示され、その表示形態は豊かに変化する。
更に、表示される文字、図形等を画面上でスクロールさせたり、適宜移動させて表示すると、その表示場所に応じて表示状態が一層豊かに変化する。
【００４４】
また、前記表示画素１が、例えば図１２の（Ｅ）に示したように、画面の中央が最小の表示面積を持ち前記画面の周辺に行くにしたがって大きな表示面積となるようにしたものは、図１０の例とは逆に、表示画面の中央部が最も小さく縮小されて表示され、中央から周辺に行くのにしたがって徐々に一様に大きくなるので、文字、図形、記号等の表示形態が凹面鏡に写したように表示され、その表示形態は豊かに変化する。また、図１０の例と同様に、表示される文字、記号等を画面上でスクロールさせたり、適宜移動させて表示するとその表示場所に応じて表示状態が一層豊かに変化する。
【００４５】
また、前記表示画素１が、図１２（Ｆ）に示したように、画面の左側面から右側面に向かって表示面積が順次大きくなって行くものは、画面に表示される図形、記号等の表示形態が左右方向に徐々に大きく表示されることになり、遠近法を用いて表現したかのようになる。また、この例も表示される文字、記号等を画面上でスクロールさせたり、適宜移動させて表示するとその表示場所に応じて表示状態が一層豊かに変化する。
【００４６】
次に、上記実施の形態に係るデジタル時計の作用を説明する。本実施の形態によれば、周囲の物理的状態を時々刻々検出可能なセンサー１３を備え、表示制御部１１は、前記センサー１３により検出された前記物理的状態の変化に対応して、表示部４にて表示される時刻の表示形態に変更を加えるように構成されている。よって、センサー１３をオン状態にしておけば、時々刻々検出される周囲の物理的状態の変化に対応して時刻表示形態を変化させることができる。
【００４７】
これは、従来のように時計の使用者が操作ボタンで選択し、その選択に一義的に対応する変化パターンで時刻表示形態が変わるものに比して、使用者がその変化のさせ方を選択することができない点で、はるかに面白味があると共に、意外性があると言える。特に、使用者の意図する変化とは必ずしも一致しない変化が容易に起こるため、この点で意外性は大きいと言える。
【００４８】
また、周囲の物理的状態は、その時計を付けている使用者の行動によって異なるため、同じ時計であっても、その使用者の行動パターンの違いによって、時刻表示形態の変化の仕方が異なってくる。従って、この点で時刻表示形態にその時計を付けている使用者に固有の個性的な変化をさせることができると言える。更に、同一人においても行動の仕方を変えることで、その変化が時計の時刻表示形態の変化となって反映することになる。
【００４９】
以上のように本発明によれば、時計の表示部４に表示する時刻表示形態の変化の仕方に、意外性や個性があるため、時計の付加価値を大きく高めることができる。
【００５０】
また、センサーで検出する物理的状態として、人体の動き、体温、心拍数等の量的要素としたものは、時計を付けている人の状態変化に対応した変化を時刻表示形態に加えることができ、その人に固有の個性的な変化をさせることができる。
【００５１】
また、当該時刻表示形態を、表示対象の大きさ、形、表示位置および動きを含む視認可能な要素から構成した物は、視覚的にその変化を容易に認識することができる。
【００５２】
また、時刻の表示形態の変換のために加えられる前記物理的状態の変化は、前記表示部４にて時刻が表示される時点より以前の過去のものとしたものは、今表示されている時刻より以前の過去のある期間をどのように過ごしたかを時計の時刻表示形態の変化によって表すことができる。従って、例えば直前の３０秒間をどのような物理的状態の変化の下で過ごしたかを時計使用者が、その時刻表示形態の変化の仕方によって簡単に再認識することができる。特に数人が集まって、各自の時計によって、その時刻表示形態の変化の仕方を比較し合うと、その変化は各人に固有のものであるため、一層面白さが増大し、時計の付加価値を増大する。
【００５３】
また、表示部４が液晶ディスプレイから成り、各表示画素の形状及び大きさが一定の規則性をもって連続的に変化して形成されているものは、該表示部４にて表示される文字や図形、記号等が、画一的なものでは無くなり、各画素の形状及び大きさの変化状態に対応して変化して表示されることになる。即ち、該表示部４で表現される表示形態を単調ではなく、且つ無秩序でもなく一定の規則性をもって変化に富んだものにすることが可能となる。従って、時刻表示形態を変化させた場合における前記意外性や個性のある変化を容易に実現することができる。
【００５４】
更に、当該表示部を用いて文字や図形等をスクロールさせたり画面内を適宜移動させて表示するようにすれば、一層豊かな表現を実現することができる。
【００５５】
【発明の効果】
以上説明したように本発明によれば、周囲の物理的状態を時々刻々検出可能なセンサーを備え、表示制御部は、前記センサーにより検出された前記物理的状態の変化に対応して、前記表示部にて表示される時刻の表示形態に変更を加えるように構成されている。よって、センサーをオン状態にしておけば、時々刻々検出される周囲の物理的状態の変化に対応して時刻表示形態を変化させることができる。
【００５６】
また、周囲の物理的状態は、その時計を付けている使用者の行動によって異なるため、同じ時計であっても、その使用者の行動パターンの違いによって、時刻表示形態の変化の仕方が異なってくる。従って、この点で時刻表示形態にその時計を付けている使用者に固有の個性的な変化をさせることができると言える。更に、同一人においても行動の仕方を変えることで、その変化が時計の時刻表示形態の変化となって反映することになる。
【００５７】
以上のように本発明によれば、時計の表示部に表示する時刻表示形態の変化の仕方に、意外性や個性があるため、時計の付加価値を大きく高めることができる。
【図面の簡単な説明】
【図１】本発明の一実施の形態に係るデジタル時計の概略構成を示すブロック図である。
【図２】上記実施の形態に係る表示制御部の構成を示すブロック図である。
【図３】上記表示制御部による表示部の制御フロー図である。
【図４】本発明の一実施の形態に係る時計の表示部を示し、通常の時刻表示形態で表示されている状態の平面図である。
【図５】本発明に係る時刻表示形態の周囲の物理的状態の変化に対応した変化の仕方の一例を示す平面図である。
【図６】本発明に係る時刻表示形態の周囲の物理的状態の変化に対応した変化の仕方の他の例を示す平面図である。
【図７】本発明に係る時刻表示形態の周囲の物理的状態の変化に対応した変化の仕方の他の例を示す平面図である。
【図８】本発明に係る時刻表示形態の周囲の物理的状態の変化に対応した変化の仕方の他の例を示す平面図であり、（Ａ）は全変化の半分程度の変化をした状態、（Ｂ）は全変化をした状態を示す。
【図９】本発明に係る表示部でバッテリーの残量が少ないことを時刻表示形態の変化により示した状態を示す平面図であり、（Ａ）は通常の時刻表示形態から第１段の変化をした状態、（Ｂ）変化の最終状態を示す。
【図１０】本発明に係る液晶ディスプレイの一実施の形態を示し、デジタル時計の表示部部分の平面図である。
【図１１】同実施の形態に係る液晶ディスプレイの表示画素の形状及び大きさを規則的に変化させていろいろな表示部を形成する際の簡易な方法を説明するための図である。
【図１２】図１１（Ａ）（Ｂ）及び（Ｃ）のそれぞれの形状を具体的に組み合わせた例を示した図である。
【符号の説明】
１  表示画素
２  縦線
３  横線
４  表示部
５  辺
１０  計時部
１１  表示制御部
１３  センサ
１６  表示形態変更部
【図１】
0004381530.tif 000002
【図２】
0004381530.tif 000003
【図３】
0004381530.tif 000004
【図４】
0004381530.tif 000005
【図５】
0004381530.tif 000006
【図６】
0004381530.tif 000007
【図７】
0004381530.tif 000008
【図８】
0004381530.tif 000009
【図９】
0004381530.tif 000010
【図１０】
0004381530.tif 000011
【図１１】
0004381530.tif 000012
【図１２】
0004381530.tif 000013